(57)【要約】【課題】    本考案は、設置壁に固定し易い家具を提供すること目的としている。【解決手段】    家具Ｆは、本体１と、この本体１の背面に位置する背板２と、本体１の上部に位置し、背板２より突出する天板３と、本体１の左側面に位置し、背板２より突出する左側面板４と、本体１の右側面に位置し、背板２より突出する右側面板５と、背板２に取り付けられ、天板３、左側面板４及び右側面板５の設置壁Ｋに面する端面と同面で、設置壁Ｋに固定するビスＢの径より小さい径の貫通孔７ａを複数有し、水平方向に設けた水平桟７とを備えているものである。【選択図】    図８
0003122285.tif 000002
【実用新案登録請求の範囲】
【請求項１】
本体と、
この本体の背面に位置する背板と、
この本体の上部に位置し、前記背板より突出する天板と、
前記本体の左側面に位置し、前記背板より突出する左側面板と、
前記本体の右側面に位置し、前記背板より突出する右側面板と、
前記背板に取り付けられ、前記天板、前記左側面板及び前記右側面板の設置壁に面する端面と同面で、前記設置壁に固定するビスの径より小さい径の貫通孔を複数有し、水平方向に設けた水平桟とを備えている
ことを特徴とする家具。
【請求項２】
水平桟は、少なくとも、本体の底部より天板に近い側に設けた第１の水平桟と、前記天板より前記本体の底部に近い側に設けた第２の水平桟とを備えていることを特徴とする請求項１記載の家具。
【請求項３】
背板に取り付けられ、天板、左側面板及び右側面板の設置壁に面する端面と同面で、前記設置壁に固定するビスの径より小さい径の貫通孔を複数有し、垂直方向に設けた垂直桟とを備えていることを特徴とする請求項１又は２記載の家具。
【請求項４】
垂直桟は、少なくとも、左側面板より右側面板に近い側に設けた第１の垂直桟と、前記右側面板より前記左側面板に近い側に設けた第２の垂直桟とを備えていることを特徴とする請求項１乃至３記載の家具。
【請求項５】
左側面板の設置壁の側の下部に、前記設置壁の幅木を乗り越える切り欠きを有する左側面切り欠き部と、
右側面板の前記設置壁の側の下部に、前記設置壁の幅木を乗り越える切り欠きを有する右側面切り欠き部とを備えていることを特徴とする請求項１乃至４記載の家具。
【考案の詳細な説明】
【技術分野】
【０００１】
本考案は、家具に係り、特に、地震等の災害時、家具が転倒しないように、家具を設置壁に固定する際、該設置壁に密着して固定し易い家具に関する。
【背景技術】
【０００２】
従来、地震等の災害時、転倒防止を図った家具としては、壁面に沿って床面上に配置される床置きの家具の上端を、上端固定具で壁面に固定したものがある（例えば特許文献１参照）。
【０００３】
しかしながら、この家具では、上端固定具で壁面にビスで固定するため、設置壁に家具を固定した場合、ビス、上端固定具等の固定部材が外観的に見え、見栄えが良くないと共に、家具には、上端固定具が予め取り付けられていないために、家具の出荷時、上端固定具をつけ忘れた場合、設置現場で新たに用意しなければならないという問題点があった。
【特許文献１】実用新案登録第３０２０００７号公報
【考案の開示】
【考案が解決しようとする課題】
【０００４】
本考案は、前記した問題点を除去するようにした家具を提供することを目的とする。
【課題を解決するための手段】
【０００５】
上記目的を達成するために、本考案の家具は、本体と、この本体の背面に位置する背板と、この本体の上部に位置し、前記背板より突出する天板と、前記本体の左側面に位置し、前記背板より突出する左側面板と、前記本体の右側面に位置し、前記背板より突出する右側面板と、前記背板に取り付けられ、前記天板、前記左側面板及び前記右側面板の設置壁に面する端面と同面で、前記設置壁に固定するビスの径より小さい径の貫通孔を複数有し、水平方向に設けた水平桟とを備えているものである。
【０００６】
また、請求項２記載の家具は、請求項１記載の家具において、水平桟は、少なくとも、本体の底部より天板に近い側に設けた第１の水平桟と、前記天板より前記本体の底部に近い側に設けた第２の水平桟とを備えているものである。
【０００７】
また、請求項３記載の家具は、請求項１又は２記載の家具において、背板に取り付けられ、天板、左側面板及び右側面板の設置壁に面する端面と同面で、前記設置壁に固定するビスの径より小さい径の貫通孔を複数有し、垂直方向に設けた垂直桟とを備えているものである。
【０００８】
また、請求項４記載の家具は、請求項１乃至３記載の家具において、垂直桟は、少なくとも、左側面板より右側面板に近い側に設けた第１の垂直桟と、前記右側面板より前記左側面板に近い側に設けた第２の垂直桟とを備えているものである。
【０００９】
また、請求項５記載の家具は、請求項１乃至４記載の家具において、左側面板の設置壁の側の下部に、前記設置壁の幅木を乗り越える切り欠きを有する左側面切り欠き部と、右側面板の前記設置壁の側の下部に、前記設置壁の幅木を乗り越える切り欠きを有する右側面切り欠き部とを備えているものである。
【考案の効果】
【００１０】
請求項１記載の家具によれば、設置壁に固定するビスの径より小さい径の貫通孔を複数有し、水平方向に設けた水平桟を予め背板に取り付けているため、設置壁に家具を固定した場合、ビス、水平桟等の固定部材が外観上外から見えず、しかも、複数の貫通孔から設置壁内の支持部材（支持部材は、例えば、垂直部材である柱、斜め部材である筋交い、水平部材である胴ぬき、うちのりぬき）の位置に合った貫通孔を選択し、選択した貫通孔を介して、ビスにより設置壁内の支持部材（支持部材は、例えば、垂直部材である柱、斜め部材である筋交い、水平部材である胴ぬき、うちのりぬき）に簡易に本体を設置壁に固定することができ、しかも、水平桟は天板、左側面板及び右側面板の設置壁に面する端面と同面であるため、設置壁にぴったり付くように設置することができる。
【００１１】
また、請求項２記載の家具によれば、上述した請求項１記載の考案の効果に加え、水平桟は、少なくとも、本体の底部より天板に近い側に設けた第１の水平桟と、前記天板より前記本体の底部に近い側に設けた第２の水平桟とを備えているため、ビスにより本体の上方にある第１の水平桟、本体の下方にある第２の水平桟を介して本体を設置壁により強固に固定して、地震等の災害時、家具がより転倒しないようにすることができる。
【００１２】
また、請求項３記載の家具によれば、上述した請求項１又は２記載の考案の効果に加え、設置壁に固定するビスの径より小さい径の貫通孔を複数有し、垂直方向に設けた垂直桟を予め背板に取り付けているため、垂直桟を付加した分、設置壁内の支持部材（支持部材は、例えば、垂直部材である柱、斜め部材である筋交い、水平部材である胴ぬき、うちのりぬき）に合致する場合が多く、本体をより簡易に設置壁に固定することができる。
【００１３】
また、請求項４記載の家具によれば、上述した請求項１乃至３記載の考案の効果に加え、少なくとも、左側面板より右側面板に近い側に設けた第１の垂直桟と、前記右側面板より前記左側面板に近い側に設けた第２の垂直桟とを備えているため、垂直桟を更に１個付加した分、設置壁内の支持部材（支持部材は、例えば、垂直部材である柱、斜め部材である筋交い、水平部材である胴ぬき、うちのりぬき）に合致する場合が多く、本体をより簡易に設置壁に固定することができ、しかも、ビスにより右側面板に近い側の第１の垂直桟、左側面板に近い側の第２の垂直桟を介して本体を設置壁により強固に固定して、地震等の災害時、家具がより転倒しないようにすることができる。
【００１４】
また、請求項５記載の家具によれば、上述した請求項１乃至４記載の考案の効果に加え、幅木（室内壁の最下部に取り付ける横板で壁下部の損傷を保護する。）を有する設置壁に家具をぴったり付くように設置し、ビスにより固定することができる。
【実施例】
【００１５】
以下、本考案の家具の一実施例（図１乃至図８）について図面に従って説明する。
Ｆは家具で、家具Ｆは、例えば、食器を収納する食器棚で、家具Ｆは、本体１と、この本体１の背面に位置する背板２と、この本体１の上部に位置し、背板２より突出する天板３と、本体１の左側面に位置し、背板２より突出する左側面板４と、本体１の右側面に位置し、背板２より突出する右側面板５と、底板６とを有する。
なお、底板６は、図８に示すように、天板３より広く、本体１前面が設置壁Ｋに向かって時計回りに、例えば、約１．５度傾斜して、地震時の前倒れを防ぐようにしている。
【００１６】
本体１の前面上部には、水平方向に移動する第１の上部引き戸１１、第２の上部引き戸１２、本体１の前面下部には、水平方向に移動する第１の下部引き戸１３、第２の下部引き戸１４、本体１の内部に複数の棚１５、１５、・・・を、それぞれ備えている。
また、本体１の前面上部と前面下部との間には、引き出し１６、１６・・・が設けられ、この引き出し１６、１６・・・は、地震時に飛び出さないように、引き出し１６、１６・・・を引き出す際、引き出し１６、１６・・・を一旦引き上げてから手前側に引かなければ引き出せない機構（図示せず）を備えており、地震時、引き出し１６、１６、１６が飛び出さないようにしてある。
【００１７】
左側面板４の設置壁Ｋの側の下部には、設置壁Ｋの幅木Ｔを乗り越える切り欠きを有する左側面切り欠き部４ａが、右側面板５の設置壁Ｋの側の下部には、設置壁Ｋの幅木Ｔを乗り越える切り欠きを有する右側面切り欠き部５ａが、それぞれ設けられている。
なお、幅木Ｔは、設置壁Ｋの最下部に取り付ける横板で設置壁Ｋ下部の損傷を保護するためのものである。そして、図４に示すように、幅木Ｔを有する設置壁Ｋに家具Ｆをぴったり付くように設置し、後述するようにビスＢにより固定することができるようになっている。
【００１８】
図５に示す７は、背板２に取り付けられ（取り付けは、例えば、だぼつぎ、接着剤等である。）、天板３、左側面板４及び右側面板５の設置壁Ｋに面する端面と同面で、設置壁Ｋに固定するビスＢの径より小さい径の貫通孔７ａを複数有し、水平方向に設けた水平桟である。
なお、水平桟７は、例えば、図６に示すように、本体１の下端から高さＨの位置にある。
この水平桟７を利用して、本体１の内側から設置壁ＫへビスＢで固定でき、ビスＢ、水平桟７等の固定部材が外観上外から見えず、見栄えが良い。
また、複数の貫通孔７ａから設置壁Ｋ内の支持部材Ｓ（設置壁Ｋは、大壁式、真壁式、折衷式と種々あり、支持部材は、例えば、垂直部材である柱、間柱、塗込ぬき等、斜め部材である筋交い等、水平部材である胴ぬき、うちのりぬき等であるが、図６で言えば、設置面１００から高さＨの位置にある水平部材Ｓ1）の位置に合った貫通孔７ａを選択し、選択した貫通孔７ａに図７（ａ）（ｂ）に示すように、錐８で印を付け、その後、図７（ｃ）（ｄ）に示すように、本体１の内側から設置壁Ｋへ選択した貫通孔７ａを介して、ビスＢにより設置壁Ｋ内の支持部材Ｓに簡易に本体１を設置壁Ｋに固定することができ、しかも、水平桟７は天板３、左側面板４及び右側面板５の設置壁Ｋに面する端面と同面であるため、設置壁Ｋにぴったり付くように設置することができる（図８参照）。
【００１９】
また、上述した実施例においては、水平桟７は１個であったが、本考案にあっては、これに限らず、水平桟７は、少なくとも、本体１の底部より天板３に近い側に設けた第１の水平桟７’と、天板３より本体１の底部に近い側に設けた第２の水平桟７”とを備えていても良い（図９及び図１０参照）。
即ち、第１の水平桟７’は、複数の貫通孔７’ａを有し、本体１の下端から高さＨの位置に、第２の水平桟７”は、複数の貫通孔７”ａを有し、本体１の下端から高さｈの位置にあって（Ｈ＞ｈ）、設置壁Ｋ内の支持部材Ｓが、図１０に示すように、設置面１００から高さＨの位置にある水平部材Ｓ1 ’、設置面１００から高さｈの位置にある水平部材Ｓ1 ”の場合、上述した実施例と同様に、複数の貫通孔７’ａ、７”ａから設置壁Ｋ内の支持部材Ｓ（設置壁Ｋは、大壁式、真壁式、折衷式と種々あり、支持部材は、例えば、垂直部材である柱、間柱、塗込ぬき等、斜め部材である筋交い等、水平部材である胴ぬき、うちのりぬき等であるが、図１０で言えば、設置面１００から高さＨの位置にある水平部材Ｓ1 ’、設置面１００から高さｈの位置にある水平部材Ｓ1 ”）の位置に合った貫通孔７’ａ、７”ａを選択し、選択した貫通孔７’ａ、７”ａに、錐８等で印を付け、本体１の内側から設置壁Ｋへ選択した貫通孔７’ａ、７”ａを介して、ビスＢにより設置壁Ｋ内の支持部材Ｓ（設置壁Ｋは、大壁式、真壁式、折衷式と種々あり、支持部材は、例えば、垂直部材である柱、間柱、塗込ぬき、斜め部材である筋交い、水平部材である胴ぬき、うちのりぬきであるが、図１０で言えば、設置面１００から高さＨの位置にある水平部材Ｓ1 ’、設置面１００から高さｈの位置にある水平部材Ｓ1 ”）を利用して簡易に本体１を設置壁Ｋに固定することができ、特に、ビスＢにより本体１の上方にある第１の水平桟Ｓ1 ’、本体１の下方にある第２の水平桟Ｓ1 ”を介して本体１を設置壁Ｋにより強固に固定して、地震等の災害時、家具Ｆがより転倒しないようにすることができる。
【００２０】
また、上述した実施例においては、水平桟７を設けたが、本考案にあっては、これに限らず、垂直桟９を設けても良い。垂直桟９は単数でも複数でも良い（図１１乃至図１３参照）。
即ち、垂直桟９は、背板２に取り付けられ（取り付けは、例えば、だぼつぎ、接着剤等である。）、天板３、左側面板４及び右側面板５の設置壁Ｋに面する端面と同面で、設置壁Ｋに固定するビスＢの径より小さい径の貫通孔９ａを複数有し、垂直方向に設けている。
その結果、垂直桟９を付加した分、設置壁Ｋ内の支持部材Ｓ（設置壁Ｋは、大壁式、真壁式、折衷式と種々あり、支持部材は、例えば、垂直部材である柱、間柱、塗込ぬき等、斜め部材である筋交い等、水平部材である胴ぬき、うちのりぬき等であるが、図１３で言えば、支持部材Ｓは、例えば、垂直部材である柱Ｓ2、斜め部材である筋交いＳ3である。）に合致する場合が多く、本体１をより簡易に設置壁Ｋに固定することができる。
特に、垂直桟９を、少なくとも、左側面板４より右側面板５に近い側に設けた第１の垂直桟９’と、右側面板５より左側面板４に近い側に設けた第２の垂直桟９”と設けた場合、垂直桟９（９’、９”）を更に１個付加した分、設置壁Ｋ内の支持部材Ｓ（設置壁Ｋは、大壁式、真壁式、折衷式と種々あり、支持部材は、例えば、垂直部材である柱、間柱、塗込ぬき等、斜め部材である筋交い等、水平部材である胴ぬき、うちのりぬき等であるが、図１３で言えば、支持部材Ｓは、例えば、垂直部材である柱Ｓ2、斜め部材である筋交いＳ3である。）に合致する場合が多く、本体１をより簡易に設置壁Ｋに固定することができ、しかも、ビスＢにより右側面板５に近い側の第１の垂直桟９’、左側面板４に近い側の第２の垂直桟９”を介して本体１を設置壁Ｋにより強固に固定して、地震等の災害時、家具Ｆがより転倒しないようにすることができる。
なお、図１４に示すように、設置場所によっては、垂直部材である柱Ｓ2 の適宜の位置を利用して第１の水平桟７’を介して本体１を設置壁Ｋに固定することもできる。
また、背板２に取り付けられた第１の水平桟７’、第１の垂直桟９’、第２の垂直桟９”は、図１１に記載された第１の水平桟７’を第１の垂直桟９’、第２の垂直桟９”の中途に位置させる略Ｈ型に限らず、図１５に示すように第１の水平桟７’を第１の垂直桟９’、第２の垂直桟９”の上端に位置させる略逆Ｕ字形状としても良い。
【図面の簡単な説明】
【００２１】
【図１】図１は、本考案の一実施例の家具の概略的正面図である。
【図２】図２は、図１の家具の概略的右側面図である。
【図３】図３は、図２の一部を拡大して示す概略的一部拡大右側面図である。である。
【図４】図４は、図１の家具の設置状態を示す概略的右側面図である。
【図５】図５は、図１の家具に水平桟を取り付ける前の状態を背面側から見た概略的斜視図である。
【図６】図６は、図５の家具に水平桟を取り付け、設置壁に取り付ける前の状態を示す概略的斜視図である。
【図７】図７（ａ）は、設置壁内の支持部材の位置に合った貫通孔を選択し、選択した貫通孔に錐で印を付ける前の状態を、（ｂ）は錐で印を付ける状態を、（ｃ）は錐で印を付けた貫通孔にビスを取り付ける前の状態を、（ｄ）は貫通孔にビスを取り付け，設置壁内の支持部材に固定した状態を、それぞれ示す概略的断面図である。
【図８】図８は、図１の家具の水平桟による固定状態を示す概略的右側面図である。
【図９】図９は、図１の家具と異なる他の実施例を示すもので、設置壁に取り付ける前の状態を示す概略的斜視図である。
【図１０】図１０は、図９の家具の水平桟による固定状態を示す概略的右側面図である。
【図１１】図１１は、図９の家具と異なる他の実施例を示すもので、設置壁に取り付ける前の状態を示す概略的斜視図である。
【図１２】図１２は、図１１の家具を正面側から見た概略的斜視図である。
【図１３】図１３は、図１１の家具を設置壁に取り付けた状態の概略的平面図である。
【図１４】図１４は、図１１の家具を図１３の設置壁の異なる部位に取り付けた状態の概略的平面図である。
【図１５】図１５は、図１１の家具と異なる他の実施例を示すもので、設置壁に取り付ける前の状態を示す概略的斜視図である。
【符号の説明】
【００２２】
Ｆ        家具
１        本体
２        背板
３        天板
４        左側面板
５        右側面板
７        水平桟
７ａ      貫通孔
Ｂ        ビス
Ｋ        設置壁
【図１】
0003122285.tif 000003
【図２】
0003122285.tif 000004
【図３】
0003122285.tif 000005
【図４】
0003122285.tif 000006
【図５】
0003122285.tif 000007
【図６】
0003122285.tif 000008
【図７】
0003122285.tif 000009
【図８】
0003122285.tif 000010
【図９】
0003122285.tif 000011
【図１０】
0003122285.tif 000012
【図１１】
0003122285.tif 000013
【図１２】
0003122285.tif 000014
【図１３】
0003122285.tif 000015
【図１４】
0003122285.tif 000016
【図１５】
0003122285.tif 000017